(57)【特許請求の範囲】
【請求項１】
事業者が使用する事業者端末を、
ユーザが購入したサービスの利用に要するチケットの内容に係る情報であるチケット内容情報を取得するチケット内容情報取得手段、
前記チケット内容情報を、記憶部に備えられたブロックチェーン台帳に書き込むチケット内容情報書き込み手段、
前記チケットを利用した前記ユーザの行動履歴に係る情報である行動履歴情報を取得する行動履歴情報取得手段、
前記行動履歴情報を、記憶部に備えられたブロックチェーン台帳に書き込む行動履歴情報書き込み手段、
前記ブロックチェーン台帳に書き込まれた前記行動履歴情報及び前記チケット内容情報から、所定期間において追加された情報を抽出する抽出手段、
前記抽出手段が抽出した前記行動履歴情報及び前記チケット内容情報を含む分配用情報を、送信手段によって所定のサーバ装置へと送信させる抽出情報送信制御手段、
前記分配用情報に基づいて決定された前記チケットの売上額の事業者毎の分配額に係る情報である分配額情報を取得する分配額情報取得手段、
として機能させる事業者支援プログラム。
【請求項２】
前記事業者端末を、
前記事業者が提供する所定のサービスに係る情報である提供サービス情報を、送信手段によってチケットサーバへと送信させる提供サービス情報送信制御手段、
としてさらに機能させる請求項１に記載の事業者支援プログラム。
【請求項３】
前記事業者端末を、
前記事業者が有する暗号通貨に係る情報である暗号通貨情報を取得する暗号通貨情報取得手段、
前記暗号通貨情報を、記憶部に備えられたブロックチェーン台帳に書き込む暗号通貨情報書き込み手段、
前記分配額情報に基づき、前記ブロックチェーン台帳に書き込まれた前記暗号通貨情報を更新する暗号通貨情報更新手段、
としてさらに機能させる請求項１又は２に記載の事業者支援プログラム。
【請求項４】
前記行動履歴情報は、前記チケットを利用したユーザの識別情報と、当該ユーザが前記チケットを利用して受けたサービスの内容に係る情報と、を含むことを特徴とする請求項１から３のいずれか一項に記載の事業者支援プログラム。
【請求項５】
ユーザが購入したサービスの利用に要するチケットの内容に係る情報であるチケット内容情報を取得するチケット内容情報取得手段と、
前記チケット内容情報を、記憶部に備えられたブロックチェーン台帳に書き込むチケット内容情報書き込み手段と、
前記チケットを利用した前記ユーザの行動履歴に係る情報である行動履歴情報を取得する行動履歴情報取得手段と、
前記行動履歴情報を、記憶部に備えられたブロックチェーン台帳に書き込む行動履歴情報書き込み手段と、
前記ブロックチェーン台帳に書き込まれた前記行動履歴情報及び前記チケット内容情報から、所定期間において追加された情報を抽出する抽出手段と、
前記抽出手段が抽出した前記行動履歴情報及び前記チケット内容情報を含む分配用情報を、送信手段によって所定のサーバ装置へと送信させる抽出情報送信制御手段と、
前記分配用情報に基づいて決定された前記チケットの売上額の事業者毎の分配額に係る情報である分配額情報を取得する分配額情報取得手段と、
を備えることを特徴とする端末装置。
【請求項６】
事業者が使用する事業者端末と通信回線を介して接続され、
ユーザが購入したサービスの利用に要するチケットの内容に係る情報であるチケット内容情報を、送信手段によって前記事業者端末へと送信させ、前記事業者端末の記憶部に備えられたブロックチェーン台帳に書き込ませるチケット内容情報書き込み指示手段と、
前記チケットを利用した前記ユーザの行動履歴に係る情報である行動履歴情報を、送信手段によって前記事業者端末へと送信させ、前記事業者端末の記憶部に備えられたブロックチェーン台帳に書き込ませる行動履歴情報書き込み指示手段と、
所定の期間において前記ブロックチェーン台帳に書き込まれた前記行動履歴情報及び前記チケット内容情報を含む分配用情報を前記事業者端末から取得する情報取得手段と、
前記分配用情報に基づいて、前記チケットの売上額の事業者毎の分配額を決定する分配額決定手段と、
を備えることを特徴とする事業者支援システム。
【請求項７】
前記分配額決定手段は、前記チケット内容情報に係るチケットによって利用可能な各サービスの代金について当該サービスを提供する事業者に分配するようにして、前記分配額を決定することを特徴とする請求項６に記載の事業者支援システム。
【請求項８】
前記分配額決定手段は、前記チケット内容情報に係るチケットによって利用可能な各サービスの代金について、前記行動履歴情報に係るユーザの行動履歴に応じて事業者に分配するようにして、前記分配額を決定することを特徴とする請求項６又は７に記載の事業者支援システム。
【発明の詳細な説明】
【技術分野】
【０００１】
本発明は、事業者支援プログラム、端末装置及び事業者支援システムに関する。
【背景技術】
【０００２】
例えば、娯楽目的の旅行やビジネス目的の出張等、何らかの目的のために他の土地へと赴くことを要する行動を取る際に、使用する交通機関や訪れる施設等につき個別に検索等を行い、行動プランを策定の上行動するのは手間が掛かる。そこで、従来、システムのユーザによる行動プランの策定を容易とし、ユーザの行動を支援することを目的とするシステムが知られている（例えば、特許文献１参照。）。
【先行技術文献】
【特許文献】
【０００３】
【特許文献１】特開２０１６−１４３１９２号公報
【発明の概要】
【発明が解決しようとする課題】
【０００４】
このようなシステムの利便性を向上するためには、ユーザ側への支援を充実させるだけでは十分ではなく、ユーザに対してサービスを提供する事業者がシステムに参加し易くし、参加事業者の拡大を図ることも重要となる。
しかしながら、従来のシステムは、システムを利用するユーザ側への支援の充実のみを念頭に構成されているのが通常であり、事業者側の参加の容易性を考慮して構成されたものではなかった。
【０００５】
本発明の課題は、ユーザの行動を支援するシステムにおいて、ユーザに対してサービスを提供する事業者のシステムへの参加を容易とすることである。
【課題を解決するための手段】
【０００６】
上記課題を解決するために、請求項１に記載の発明は、事業者支援プログラムにおいて、
事業者が使用する事業者端末を、
ユーザが購入したサービスの利用に要するチケットの内容に係る情報であるチケット内容情報を取得するチケット内容情報取得手段、
前記チケット内容情報を、記憶部に備えられたブロックチェーン台帳に書き込むチケット内容情報書き込み手段、
前記チケットを利用した前記ユーザの行動履歴に係る情報である行動履歴情報を取得する行動履歴情報取得手段、
前記行動履歴情報を、記憶部に備えられたブロックチェーン台帳に書き込む行動履歴情報書き込み手段、
前記ブロックチェーン台帳に書き込まれた前記行動履歴情報及び前記チケット内容情報から、所定期間において追加された情報を抽出する抽出手段、
前記抽出手段が抽出した前記行動履歴情報及び前記チケット内容情報を含む分配用情報を、送信手段によって所定のサーバ装置へと送信させる抽出情報送信制御手段、
前記分配用情報に基づいて決定された前記チケットの売上額の事業者毎の分配額に係る情報である分配額情報を取得する分配額情報取得手段、
として機能させることを特徴とする。
【０００７】
請求項２に記載の発明は、請求項１に記載の事業者支援プログラムにおいて、
前記事業者端末を、
前記事業者が提供する所定のサービスに係る情報である提供サービス情報を、送信手段によってチケットサーバへと送信させる提供サービス情報送信制御手段、
としてさらに機能させることを特徴とする。
【０００８】
請求項３に記載の発明は、請求項１又は２に記載の事業者支援プログラムにおいて、
前記事業者端末を、
前記事業者が有する暗号通貨に係る情報である暗号通貨情報を取得する暗号通貨情報取得手段、
前記暗号通貨情報を、記憶部に備えられたブロックチェーン台帳に書き込む暗号通貨情報書き込み手段、
前記分配額情報に基づき、前記ブロックチェーン台帳に書き込まれた前記暗号通貨情報を更新する暗号通貨情報更新手段、
としてさらに機能させることを特徴とする。
【０００９】
請求項４に記載の発明は、請求項１から３のいずれか一項に記載の事業者支援プログラムにおいて、
前記行動履歴情報は、前記チケットを利用したユーザの識別情報と、当該ユーザが前記チケットを利用して受けたサービスの内容に係る情報と、を含むことを特徴とする。
【００１０】
請求項５に記載の発明は、端末装置において、
ユーザが購入したサービスの利用に要するチケットの内容に係る情報であるチケット内容情報を取得するチケット内容情報取得手段と、
前記チケット内容情報を、記憶部に備えられたブロックチェーン台帳に書き込むチケット内容情報書き込み手段と、
前記チケットを利用した前記ユーザの行動履歴に係る情報である行動履歴情報を取得する行動履歴情報取得手段と、
前記行動履歴情報を、記憶部に備えられたブロックチェーン台帳に書き込む行動履歴情報書き込み手段と、
前記ブロックチェーン台帳に書き込まれた前記行動履歴情報及び前記チケット内容情報から、所定期間において追加された情報を抽出する抽出手段と、
前記抽出手段が抽出した前記行動履歴情報及び前記チケット内容情報を含む分配用情報を、送信手段によって所定のサーバ装置へと送信させる抽出情報送信制御手段と、
前記分配用情報に基づいて決定された前記チケットの売上額の事業者毎の分配額に係る情報である分配額情報を取得する分配額情報取得手段と、
を備えることを特徴とする。
【００１１】
請求項６に記載の発明は、事業者支援システムにおいて、
事業者が使用する事業者端末と通信回線を介して接続され、
ユーザが購入したサービスの利用に要するチケットの内容に係る情報であるチケット内容情報を、送信手段によって前記事業者端末へと送信させ、前記事業者端末の記憶部に備えられたブロックチェーン台帳に書き込ませるチケット内容情報書き込み指示手段と、
前記チケットを利用した前記ユーザの行動履歴に係る情報である行動履歴情報を、送信手段によって前記事業者端末へと送信させ、前記事業者端末の記憶部に備えられたブロックチェーン台帳に書き込ませる行動履歴情報書き込み指示手段と、
所定の期間において前記ブロックチェーン台帳に書き込まれた前記行動履歴情報及び前記チケット内容情報を含む分配用情報を前記事業者端末から取得する情報取得手段と、
前記分配用情報に基づいて、前記チケットの売上額の事業者毎の分配額を決定する分配額決定手段と、
を備えることを特徴とする。
【００１２】
請求項７に記載の発明は、請求項６に記載の事業者支援システムにおいて、
前記分配額決定手段は、前記チケット内容情報に係るチケットによって利用可能な各サービスの代金について当該サービスを提供する事業者に分配するようにして、前記分配額を決定することを特徴とする。
【００１３】
請求項８に記載の発明は、請求項６又は７に記載の事業者支援システムにおいて、
前記分配額決定手段は、前記チケット内容情報に係るチケットによって利用可能な各サービスの代金について、前記行動履歴情報に係るユーザの行動履歴に応じて事業者に分配するようにして、前記分配額を決定することを特徴とする。
【発明の効果】
【００１４】
本発明によれば、ユーザの行動を支援するシステムにおいて、ユーザに対してサービスを提供する事業者のシステムへの参加を容易とすることができる。
【図面の簡単な説明】
【００１５】
【図１】実施形態に係るチケット提供・情報管理システムの構成の概略を示すブロック図である。
【図２】実施形態に係るチケット提供・情報管理システムにおけるチケットサーバの構成を示すブロック図である。
【図３】実施形態に係るチケット提供・情報管理システムにおける暗号通貨サーバの構成を示すブロック図である。
【図４】実施形態に係るチケット提供・情報管理システムにおける行動履歴サーバの構成を示すブロック図である。
【図５】実施形態に係るチケット提供・情報管理システムにおけるチケット読み取り装置の構成を示すブロック図である。
【図６】実施形態に係るチケット提供・情報管理システムにおける事業者端末の構成を示すブロック図である。
【図７】実施形態に係るチケット提供・情報管理システムにおけるユーザ端末の構成を示すブロック図である。
【図８】実施形態に係るチケット提供・情報管理システムにおける動作の流れを示すフローチャートである。
【図９】実施形態に係るチケット提供・情報管理システムにおける動作時のデータの流れの概略を示すブロック図である。
【発明を実施するための形態】
【００１６】
以下、図１から図９に基づいて、本発明の実施形態であるチケット提供・情報管理システム１００について説明する。ただし、本発明の技術的範囲は、図示例に限定されるものではない。
【００１７】
［第１  構成の説明］
チケット提供・情報管理システム１００は、システムを利用するユーザＵの行動及び事業者Ｂによるサービスの提供を支援するためのシステムであり、図１に示すように、チケット提供・情報管理システム１００を提供する管理者たる企業等が管理する各種サーバ、すなわち、チケットの売買の管理等を行うチケットサーバ１、暗号通貨の発行等を行う暗号通貨サーバ２及びユーザＵの行動履歴に係る情報の送信等を行う行動履歴サーバ３と、事業者Ｂがサービスを提供する各地に設定され、所定のチケットを読み取り可能に構成されたチケット読み取り装置４と、ユーザＵにサービスを提供するシステムの参加者たる複数の事業者Ｂがそれぞれ保有する事業者端末５と、システムを利用するユーザＵがそれぞれ保有するユーザ端末６と、を備えて構成されている。
なお、本発明において行動とは、例えば、娯楽目的の旅行やビジネス目的の出張等、何らかの目的のためにシステムのユーザが他の土地へと赴く必要がある場合を広く含むものとする。
【００１８】
また、各事業者端末５とチケットサーバ１、暗号通貨サーバ２及び行動履歴サーバ３との間、各ユーザ端末６とチケットサーバ１及び暗号通貨サーバ２との間、チケットサーバ１と暗号通貨サーバ２との間、行動履歴サーバ３とチケット読み取り装置４との間、並びに各事業者端末５の間は、図１に示すように、通信ネットワークＮを介して接続されている。
なお、本実施形態においては、このように通信ネットワークＮを介して接続された多数の事業者端末５を合わせてブロックチェーン情報共有基盤５０という。
【００１９】
また、上記各サーバは、必ずしも別個に設けられていることを要せず、単一のＰＣ（Personal Computer）、ＷＳ（Work Station）等の情報機器が、これら複数のサーバとしての機能を兼ねていてもよい。また、反対に、上記各サーバは、必ずしもそれぞれ単一の機器であることを要せず、複数のＰＣ、ＷＳ等の情報機器により、各サーバの機能が実現されていてもよい。
また、上記各サーバは、必ずしもチケット提供・情報管理システム１００を提供する管理者たる企業等自らが保有することを要せず、例えば、クラウドサービスを提供する企業等が保有するＰＣ、ＷＳ等の情報機器を利用してもよい。
【００２０】
また、本実施形態において、ユーザＵとは、チケット提供・情報管理システム１００を利用してチケットの提供を受け、これを使用して行動する者を指す。
また、事業者Ｂとは、チケット提供・情報管理システム１００を介して、ユーザＵに、交通機関、宿泊施設、飲食施設、保険等のサービスを販売の上、これらサービスを提供する者を指し、自然人、法人を問わない。
図１においてはＢ−１からＢ−８の８つの事業者を、図９においてはこれに新規加入事業者である事業者Ｂ−９を加えた９つの事業者を図示しているが、事業者の数は当然これに限られるものではない。なお、以下、特に特定せずにいずれかの事業者を指す場合には、単に事業者Ｂという。
【００２１】
［１  チケットサーバ］
チケットサーバ１は、例えば、ＰＣ、ＷＳ等の情報機器であり、後述のように、各事業者Ｂが提供するサービスの登録を受けると共に、当該サービスの提供に係るチケットをユーザＵに提供する。
チケットサーバ１は、図２に示すように、例えば、制御部１１と、記憶部１２と、通信部１３と、を備えて構成されている。
【００２２】
制御部１１は、チケットサーバ１の動作を制御する部分であり、具体的には、ＣＰＵ（Central Processing Unit）、ＲＯＭ（Read Only Memory）、ＲＡＭ（Random Access Memory）等を備えて構成され、ＲＡＭの作業領域に展開されたＲＯＭや記憶部１２に記憶されたプログラムとＣＰＵとの協働により、チケットサーバ１の各部を統括制御する。
【００２３】
記憶部１２は、チケットサーバ１の運用に必要となる各種情報が記憶される部分であり、例えば、ＨＤＤ（Hard Disk Drive）、半導体メモリ等により構成され、プログラムデータ等のチケットサーバ１の運用に必要となるデータを、制御部１１から読み書き可能に記憶する。
【００２４】
記憶部１２には、各事業者Ｂによって登録された各事業者Ｂが提供するサービスに係るデータである提供サービスデータＤ３が一覧的に記憶される提供サービスデータベース１２１と、新規の事業者Ｂの登録時のチケットサーバ１への指令内容が組み合わされたプログラムである事業者登録プログラム１２２と、事業者Ｂによる提供サービスデータＤ３の登録時のチケットサーバ１への指令内容が組み合わされたプログラムである提供サービス登録プログラム１２３と、新規のユーザＵの登録時のチケットサーバ１への指令内容が組み合わされたプログラムであるユーザ登録プログラム１２４と、ユーザＵに対する単一化チケットの発行時のチケットサーバ１への指令内容が組み合わされたプログラムであるチケット発行プログラム１２５と、ユーザＵによる所有チケットの確認時のチケットサーバ１への指令内容が組み合わされたプログラムである所有チケット確認プログラム１２６と、ユーザＵ間におけるチケットの譲渡時のチケットサーバ１への指令内容が組み合わされたプログラムであるチケット譲渡プログラム１２７と、チケット提供・情報管理システム１００による売上額の事業者Ｂ間における分配時のチケットサーバ１への指令内容が組み合わされたプログラムである分配プログラム１２８と、新規に事業者登録を行った事業者Ｂ及び新規にユーザ登録を行ったユーザＵに送信するための各種プログラムデータ（ブロックチェーン書き込みプログラム５２２、ブロックチェーンデータ出力プログラム５２３、提供サービス登録プログラム５２４及びユーザ端末用アプリケーション６２１）が記憶されている送信用プログラムデータ記憶部１２９と、が備えられている。
【００２５】
なお、これらプログラムは、それぞれ別個のプログラムとして記憶されていることを必ずしも要せず、単一のプログラムが、これら複数のプログラムとしての指令内容を含むものであってもよい。また、反対に、これらのプログラムは、必ずしもそれぞれ単一のプログラムであることを要せず、複数のプログラムにより、各プログラムの内容が実現されていてもよい。
この点は、本実施形態における他の装置において記憶されたプログラムについても同様である。
【００２６】
通信部１３は、チケットサーバ１と、チケット提供・情報管理システム１００を構成する暗号通貨サーバ２、事業者端末５及びユーザ端末６との間の通信に用いられる部分であり、例えば、通信用ＩＣ（Integrated Circuit）及び通信コネクタなどを有する通信インターフェイスであり、制御部１１の制御の元、所定の通信プロトコルを用いて、通信ネットワークＮを介したデータ通信を行う。
【００２７】
［２  暗号通貨サーバ］
暗号通貨サーバ２は、例えば、ＰＣ、ＷＳ等の情報機器であり、後述のように、ユーザＵの口座情報に基づく暗号通貨の発行等を行う。
暗号通貨サーバ２は、図３に示すように、チケットサーバ１と同様、例えば、制御部２１と、記憶部２２と、通信部２３と、を備えて構成されている。
【００２８】
記憶部２２には、ユーザＵの銀行口座の残高からの振り替え処理を行う際の暗号通貨サーバ２への指令内容が組み合わされたプログラムである銀行口座残高振替プログラム２２１と、暗号通貨発行時の暗号通貨サーバ２への指令内容が組み合わされたプログラムである暗号通貨発行プログラム２２２と、ユーザＵが有する暗号通貨の残高を確認する際の暗号通貨サーバ２への指令内容が組み合わされたプログラムである暗号通貨残高確認プログラム２２３と、が備えられている。
【００２９】
また、暗号通貨サーバ２は、図１に示すように、通信部２３により、チケットサーバ１、事業者端末５及びユーザ端末６と通信ネットワークＮを介して接続され、これらとの間でデータの送受信が可能とされている。
【００３０】
［３  行動履歴サーバ］
行動履歴サーバ３は、例えば、ＰＣ、ＷＳ等の情報機器であり、後述のように、行動履歴データＤ１４の事業者端末５への送信等を行う。
行動履歴サーバ３は、図４に示すように、チケットサーバ１等と同様、例えば、制御部３１と、記憶部３２と、通信部３３と、を備えて構成されている。
【００３１】
記憶部３２には、ユーザＵの行動履歴に係る情報である行動履歴データＤ１４の事業者端末５への送信時の行動履歴サーバ３への指令内容が組み合わされたプログラムである行動履歴送信プログラム３２１と、各チケット読み取り装置４の設置事業者、設置場所、当該設置場所で提供されるサービスの種類等の各チケット読み取り装置４に係る情報が、各チケット読み取り装置４に係る後述の読み取り装置識別データＤ１２と紐付けられたデータである読み取り装置データＤ１３が記憶される読み取り装置データベース３２２と、が備えられている。
【００３２】
また、行動履歴サーバ３は、図１に示すように、通信部３３により、チケット読み取り装置４及び事業者端末５と通信ネットワークＮを介して接続され、これらとの間でデータの送受信が可能とされている。
【００３３】
［４  チケット読み取り装置］
チケット読み取り装置４は、事業者Ｂがサービスを提供する各地に設置された装置であり、後述のように、単一化チケットデータＤ９に基づきユーザ端末６の表示部６４に表示された一次元又は二次元のコードである単一化チケット（以下、単に「単一化チケット」という。）を読み取り、コード内容データＤ１０を取得すると共に、当該ユーザによるサービス利用の可否を判別するための装置である。
【００３４】
チケット読み取り装置４は、事業者Ｂによって提供されるサービスに応じて、適宜の場所に備えられるが、例えば、提供サービスが移動手段である場合においては、電車であれば改札、バスであればその車内等に設置されることとなる。
また、例えば、提供サービスが飲食施設である場合においては、当該施設のレジの設置場所等に設置されることとなる。
また、例えば、提供サービスがホテル等の宿泊施設である場合においては、当該宿泊施設のフロント等に設置されることとなる。
【００３５】
チケット読み取り装置４は、図５に示すように、チケットサーバ１等と同様、例えば、制御部４１と、記憶部４２と、通信部４３と、を備えるとともに、さらに単一化チケットを読み取るチケット読み取り部４４を備えて構成されている。
【００３６】
チケット読み取り部４４は、単一化チケットデータＤ９に係る単一化チケットの形式に合わせた読み取り機であり、例えば、単一化チケットデータＤ９に係る単一化チケットが所定の二次元コードであれば、当該コードに合わせた読み取り機が用いられ、単一化チケットデータＤ９に係る単一化チケットが所定の一次元コードであれば、当該コードに合わせた読み取り機が用いられる。
【００３７】
また、記憶部４２には、単一化チケットデータＤ９に係る単一化チケットの読み取り時のチケット読み取り装置４への指令内容が組み合わされたプログラムであるチケット読み取りプログラム４２１と、読み取られた単一化チケットの内容に基づき、当該ユーザによるサービス利用の可否の判定を行う際のチケット読み取り装置４への指令内容が組み合わされたプログラムであるチケット認証プログラム４２２と、チケット読み取り部４４が読み取ったデータの行動履歴サーバ３への送信時のチケット読み取り装置４への指令内容が組み合わされたプログラムである読み取りデータ送信プログラム４２３と、チケット読み取り装置４毎に振られた番号、ＩＤ等の各チケット読み取り装置４を識別し得る情報である読み取り装置識別データＤ１２が記憶された識別情報記憶部４２４と、が備えられている。
【００３８】
また、チケット読み取り装置４は、図１に示すように、通信部４３により、行動履歴サーバ３と通信ネットワークＮを介して接続され、行動履歴サーバ３へとデータを送信可能に構成されている。
【００３９】
［５  事業者端末］
事業者端末５は、例えば、事業者Ｂのそれぞれが保有するＰＣ、ＷＳ等の情報機器であり、後述のように、各サーバから取得した情報のブロックチェーン台帳５２１への記憶等を行う。
なお、事業者端末５についても、必ずしも事業者Ｂ自らが保有することを要せず、例えば、クラウドサービスを提供する企業等が保有するＰＣ、ＷＳ等の情報機器を利用してもよい。
事業者端末５は、図６に示すように、例えば、チケットサーバ１等と同様に、制御部５１と、記憶部５２と、通信部５３と、を備えると共に、更に、表示部５４と、操作部５５と、を備えて構成されている。
【００４０】
記憶部５２には、後述のように各種データが記憶されるブロックチェーン台帳５２１と、ブロックチェーン台帳５２１への書き込み時の事業者端末５への指令内容が組み合わされたプログラムであるブロックチェーン書き込みプログラム５２２と、ブロックチェーン台帳５２１からのデータの出力時の事業者端末５への指令内容が組み合わされたプログラムであるブロックチェーンデータ出力プログラム５２３と、事業者Ｂによるチケットサーバ１への提供サービスの登録時の事業者端末５への指令内容が組み合わされたプログラムである提供サービス登録プログラム５２４と、が備えられている。
【００４１】
ブロックチェーン台帳５２１は、ハッシュ値を有するブロックが連結された一般的なブロックチェーンとしての構造を有する台帳であり、全ての事業者端末５に、同一の内容が記憶されている。
ブロックチェーン台帳５２１には、後述のように、各事業者Ｂの情報である事業者データＤ１、各事業者Ｂがチケットサーバ１において提供するサービスに係るデータである提供サービスデータＤ３、各ユーザＵの情報であるユーザデータＤ４、各ユーザＵが有する暗号通貨の情報であるユーザ暗号通貨データＤ６、各ユーザＵが有する単一化チケットの内容に係るデータであるチケット内容データＤ１１、各ユーザＵの行動履歴に係る情報である行動履歴データＤ１４及び各事業者Ｂが有する暗号通貨の情報である事業者暗号通貨データＤ１８の内容が、全て、ブロックが順に連結されたブロックチェーンの形式で記憶されている。
【００４２】
また、事業者端末５は、図１に示すように、通信部５３から、通信ネットワークＮを介して、チケットサーバ１、暗号通貨サーバ２及び行動履歴サーバ３と接続され、これらサーバとの間でデータを送受信可能に構成されている。
【００４３】
表示部５４は、例えば、ＬＣＤ（Liquid Crystal Display）等のディスプレイを備え、制御部５１から出力された表示制御信号に基づいた画像を表示画面に表示する。
【００４４】
操作部５５は、例えば、文字入力キー、数字入力キー、その他各種機能に対応付けられたキーを有するキーボード等を備え、ユーザＵからの操作入力を受け付けて、操作入力に応じた操作信号を制御部５１へと出力する。操作部５５は、例えば、表示部５４と一体的に形成されたタッチパネル等であってもよい。
なお、操作部５５は、上記のキーボード、タッチパネル等に限定されず、音声入力、テキスト入力等によってユーザＵの意思を反映できるものであれば、種々の手段を用いることができる。
【００４５】
事業者端末５が、所謂ノードとして、通信ネットワークＮを介して多数接続されていることで、多数の事業者端末内のブロックチェーン台帳５２１に同一の内容が記憶された、ブロックチェーン情報共有基盤５０が構成されている。
【００４６】
なお、事業者端末５としては、表示部５４及び操作部５５を備えないものを用いてもよい。この場合、表示部５４及び操作部５５等を備えて後述のように事業者Ｂによる操作に使用される端末を別途設け、当該端末から事業者端末５に通信ネットワークＮを介してアクセスすることで、事業者Ｂが事業者端末５につき操作することが可能となる。例えば、上記のように事業者端末５として、事業者Ｂ自らが保有せず、クラウドサービスを提供する企業等が保有するＰＣ、ＷＳ等の情報機器を利用する場合には、このような構成を採ることとなる。
【００４７】
［６  ユーザ端末］
ユーザ端末６は、例えば、スマートフォン、タブレット等の通信端末であり、ユーザＵによって携帯され、後述のように、ユーザＵによる行動時に、チケットサーバ１から取得した単一化チケットデータＤ９に係る単一化チケットの表示等を行う。
ユーザ端末６は、図７に示すように、例えば、事業者端末５と同様に、制御部６１と、記憶部６２と、通信部６３と、表示部６４と、操作部６５と、を備えて構成されている。
【００４８】
記憶部６２には、チケット提供・情報管理システム１００使用時のユーザ端末６への指令内容が組み合わされたプログラムであるユーザ端末用アプリケーション６２１と、チケットサーバ１から受信した単一化チケットデータＤ９を記憶する単一化チケットデータ記憶部６２２と、が備えられている。
ユーザ端末６においては、後述のように、ユーザ端末用アプリケーション６２１に従って、制御部６１によって、単一化チケットデータＤ９に係る単一化チケットの表示部６４における表示等の処理が行われる。
【００４９】
また、ユーザ端末６は、図１に示すように、通信部６３から、通信ネットワークＮを介して、チケットサーバ１及び暗号通貨サーバ２と接続され、これらサーバとの間でデータを送受信可能に構成されている。
【００５０】
［７  通信ネットワーク］
通信ネットワークＮは、例えば、インターネット、電話回線網、携帯電話通信網、無線ＬＡＮ通信網等であり、図１に示すように、各事業者端末５とチケットサーバ１、暗号通貨サーバ２及び行動履歴サーバ３との間、各ユーザ端末６とチケットサーバ１及び暗号通貨サーバ２との間、チケットサーバ１と暗号通貨サーバ２との間、行動履歴サーバ３とチケット読み取り装置４との間、並びに各事業者端末５の間を接続する。
通信ネットワークＮとしては、上記のように各装置間を繋ぎ、これらの間でデータの送受信を行うことが可能なものであれば特に限定されない。
【００５１】
［第２  動作の説明］
以下、実施形態に係るチケット提供・情報管理システム１００の使用時の流れについて説明する。チケット提供・情報管理システム１００の動作は、図８に示すようにステップＳ１からＳ８の８つのステップからなり、図９に示すように各サーバ、端末間でデータの送受信が行われる。
【００５２】
［１  ステップＳ１：加盟事業者登録］
チケット提供・情報管理システム１００への参加を希望する事業者Ｂ（図９における事業者Ｂ−９）は、まず、加盟事業者登録を行う。
具体的には、事業者Ｂ−９（法人である場合は、その担当従業員）は、事業者端末５の操作部５５を用いて、事業者名、代表者名等の当該事業者を特定するための所定の情報である事業者情報データＤ１−１及び当該事業者が使用する事業者端末５にアクセスするためのアドレス等からなる事業者端末５の情報である事業者端末データＤ１−２を含むデータである事業者データＤ１を入力する。
【００５３】
事業者データＤ１が入力されると、事業者Ｂ−９の事業者端末５においては、制御部５１が、入力されたデータを、通信部５３から通信ネットワークＮを介して、図９に示すように、チケットサーバ１に送信する。
【００５４】
通信部１３によってこれを受信したチケットサーバ１においては、所定の承認処理を経て、これを通過した場合に、制御部１１が、事業者登録プログラム１２２に従い、受信した事業者データＤ１を、当該データを記憶部５２のブロックチェーン台帳５２１に書き込む旨の事業者端末５への所定の指令を付して、通信部１３から通信ネットワークＮを介して、図９に示すように、既存の全ての事業者Ｂ（図９における事業者Ｂ−１からＢ−８）の事業者端末５へと送信する。
なお、承認処理としては、例えば、全ての既存の事業者Ｂの承認を要するようにする、システム提供者の承認のみで足りることとする等、任意の方法を採ることができる。
【００５５】
通信部５３によって事業者データＤ１を受信した事業者Ｂ−１からＢ−８の事業者端末５においては、制御部５１が、ブロックチェーン書き込みプログラム５２２に従って、事業者データＤ１を、ブロックチェーン台帳５２１に記憶する。
【００５６】
これによって、新たな事業者Ｂが加盟事業者登録を行うたびに、加盟した事業者Ｂに係る事業者データＤ１が、各事業者端末５のブロックチェーン台帳５２１に追加されていくこととなる。
【００５７】
なお、事業者Ｂによる事業者データＤ１の入力を要するのは、システムへの参加時の一度のみであり、それ以降事業者Ｂは、事業者データＤ１に含まれる情報に変更があった場合にのみ、変更部分につき入力すればよい。
【００５８】
続いて、チケットサーバ１においては、制御部１１が、事業者登録プログラム１２２に従って、通信部１３から通信ネットワークＮを介して、ブロックチェーン台帳５２１の全記憶内容を送信させる旨の指示に係るデータであるブロックチェーン台帳送信指示データＤ２を、所定の既存の事業者Ｂの事業者端末５へと送信する。なお、このような所定の事業者端末５としては、例えば、ブロックチェーン情報共有基盤５０を構成する複数の事業者端末５から、チケットサーバ１等への情報の送信を行うものを予め定めた上で、当該事業者端末５の情報をチケットサーバ１に記憶しておけばよい。
【００５９】
通信部５３によってブロックチェーン台帳送信指示データＤ２を受信した事業者端末５においては、制御部５１が、ブロックチェーンデータ出力プログラム５２３に従い、ブロックチェーン台帳５２１の全記憶内容を、通信部５３から通信ネットワークＮを介して、チケットサーバ１へと送信する。
通信部１３によって、ブロックチェーン台帳５２１の全記憶内容を受信したチケットサーバ１においては、制御部１１が、事業者登録プログラム１２２に従って、通信部１３から通信ネットワークＮを介して、ブロックチェーン台帳５２１の全記憶内容を、送信用プログラムデータ記憶部１２９に記憶された各種プログラム（ブロックチェーン書き込みプログラム５２２、ブロックチェーンデータ出力プログラム５２３及び提供サービス登録プログラム５２４）と共に、通信部１３から通信ネットワークＮを介して、図９に示すように事業者データＤ１を送信した事業者端末５（図９における事業者Ｂ−９の事業者端末５）に送信し、通信部５３によってこれらデータを受信した事業者端末５においては、制御部５１が、受信したブロックチェーン台帳５２１の全記憶内容、ブロックチェーン書き込みプログラム５２２、ブロックチェーンデータ出力プログラム５２３及び提供サービス登録プログラム５２４を、記憶部５２に記憶する。
【００６０】
なお、本実施形態においては、このような加盟事業者登録の処理をチケットサーバ1において行う場合につき説明したが、これに限られず、例えば、チケットサーバ１とは別個の専用のサーバを設け、当該サーバにおいて上記処理を行うようにしてもよい。
【００６１】
［２  ステップＳ２：提供サービスの登録］
事業者Ｂは、自らが提供するサービスを、チケット提供・情報管理システム１００によってユーザＵに提供したい場合には、当該サービスにつきチケットサーバ１への登録を行う。
具体的には、事業者Ｂは、事業者端末５の操作部５５を用いて、サービス種別データＤ３−１、サービス内容データＤ３−２、価格データＤ３−３、提供事業者データＤ３−４を含む提供サービスデータＤ３を入力する。
【００６２】
サービス種別データＤ３−１は、例えば、交通機関、飲食施設、宿泊施設、保険等の提供するサービスの種別に係るデータであり、交通機関である場合には、さらに、電車、バス、飛行機等の具体的な手段のデータも含む。
サービス内容データＤ３−２は、提供するサービスの具体的内容に係るデータである。例えば、交通機関であれば、ある駅からある駅までの電車の乗車、ある空港からある空港までの飛行機の搭乗、電車・バス等の所定の交通機関の所定の期間内の乗り放題といった内容が登録され、飲食施設であれば、特定のメニューの提供といった内容が登録され、宿泊施設であれば、特定のプランによる特定の客室への宿泊といった内容が登録され、保険であれば特定の補償内容の傷害保険といった内容が含まれる。
価格データＤ３−３は、提供する各サービスに要する費用に係るデータである。
提供事業者データＤ３−４は当該サービスを提供する事業者の名称等に係るデータであり、事業者Ｂは通常自らに係る情報を入力することとなる。
【００６３】
これらのデータの入力は、例えば、提供サービス登録プログラム５２４に従って、制御部５１が、必要項目の入力欄が設けられた所定の入力フォームを表示部５４に表示するようにし、事業者Ｂ（法人である場合は、その担当従業員）が当該入力フォームに入力することによって行われるようにすればよい。
【００６４】
これらのデータが入力されると、事業者端末５においては、制御部５１が、提供サービス登録プログラム５２４に従って、入力されたデータを、通信部５３から通信ネットワークＮを介して、図９に示すようにチケットサーバ１に送信し、通信部１３によってこれらのデータを受信したチケットサーバ１においては、制御部１１が、提供サービス登録プログラム１２３に従い、受信したデータを、記憶部１２の提供サービスデータベース１２１に記憶する。
【００６５】
提供サービスデータＤ３を記憶部１２の提供サービスデータベース１２１に記憶すると、制御部１１は、提供サービス登録プログラム１２３に従い、受信した提供サービスデータＤ３を、当該データを記憶部５２のブロックチェーン台帳５２１に書き込む旨の事業者端末５への所定の指令を付して、通信部１３から通信ネットワークＮを介して、図９に示すように、全ての事業者端末５へと送信する。
通信部５３によって提供サービスデータＤ３を受信した事業者端末５においては、制御部５１が、ブロックチェーン書き込みプログラム５２２に従って、提供サービスデータＤ３を、ブロックチェーン台帳５２１に記憶する。
【００６６】
これによって、事業者Ｂが提供サービスデータＤ３をチケットサーバ１に登録するたびに、新たに登録された提供サービスデータＤ３が、各事業者端末５のブロックチェーン台帳５２１に追加されていくこととなる。
【００６７】
なお、事業者Ｂによる提供サービスデータＤ３の登録は、事業者Ｂが新たなサービスの提供を希望する任意の時点で行うことができる。また、一度に複数のサービスに係る提供サービスデータＤ３を登録し、又は複数回提供サービスデータＤ３の登録を行うことで、複数の提供サービスデータＤ３を登録してもよい。
【００６８】
また、提供サービスデータＤ３としては、複数の事業者Ｂが提供するサービスを一括したもの、例えば、複数の事業者Ｂが運営する交通機関で共通に利用できる乗車券や、複数の事業者Ｂが運営する飲食店で共通に利用できる食事券等についてのデータを登録することも可能である。この場合、例えば、代表する事業者Ｂにより、提供事業者データＤ３−４として複数の事業者Ｂのデータを入力する形で登録するようにすればよい。
【００６９】
［３  ステップＳ３：ユーザ登録］
チケット提供・情報管理システム１００の利用を希望するユーザＵは、システムの利用開始前に、まず、ユーザ登録を行う。
具体的には、ユーザＵは、まず、ユーザ端末６から、通信ネットワークＮを介してチケットサーバ１にアクセスの上、チケットサーバ１の記憶部１２の送信用プログラムデータ記憶部１２９に記憶されたユーザ端末用アプリケーション６２１のダウンロードを行う。ダウンロードされたユーザ端末用アプリケーション６２１は、制御部６１によって、記憶部６２に記憶される。
【００７０】
ユーザ端末用アプリケーション６２１のダウンロードが完了した後、ユーザＵは、続いて、ユーザ端末６の操作部６５を用いて、氏名等からなるユーザＵの情報に係るデータである個人情報データＤ４−１及びチケット提供・情報管理システム１００使用時に用いる所定のＩＤに係るデータであるユーザＩＤデータＤ４−２を含むデータであるユーザデータＤ４を入力する。
【００７１】
ユーザデータＤ４が入力されると、ユーザ端末６においては、制御部６１が、ユーザ端末用アプリケーション６２１に従い、入力されたデータを、通信部６３から通信ネットワークＮを介して、図９に示すようにチケットサーバ１に送信する。
【００７２】
通信部１３によってこれを受信したチケットサーバ１においては、制御部１１が、ユーザ登録プログラム１２４に従い、受信したユーザデータＤ４を、当該データを記憶部５２のブロックチェーン台帳５２１に書き込む旨の事業者端末５への所定の指令を付して、通信部１３から通信ネットワークＮを介して、図９に示すように、全ての事業者端末５へと送信する。
通信部５３によってユーザデータＤ４を受信した事業者端末５においては、制御部５１が、ブロックチェーン書き込みプログラム５２２に従って、ユーザデータＤ４を、ブロックチェーン台帳５２１に記憶する。
【００７３】
これによって、新たなユーザＵがユーザ登録を行うたびに、ユーザ登録を行ったユーザＵに係るユーザデータＤ４が、各事業者端末５のブロックチェーン台帳５２１に追加されていくこととなる。
【００７４】
なお、ユーザＵによるユーザ端末用アプリケーション６２１のダウンロード及びユーザデータＤ４の入力を要するのは、初回のシステム利用開始前の一度のみであり、それ以降ユーザＵは、個人情報データＤ４−１に含まれる情報に変更があった場合やユーザＩＤデータＤ４−２に係るＩＤの変更を希望する場合等にのみ、変更部分につき入力すればよい。
【００７５】
なお、本実施形態においては、このようなユーザ登録の処理をチケットサーバ1において行う場合につき説明したが、これに限られず、例えば、チケットサーバ１とは別個の専用のサーバを設け、当該サーバにおいて上記処理を行うようにしてもよい。
【００７６】
［４  ステップＳ４：暗号通貨の発行］
ユーザ登録が完了すると、続いて、ユーザＵは、暗号通貨の発行を受ける。
具体的には、ユーザＵは、ユーザ端末６の操作部６５を用いて、発行希望金額データＤ５−１及び振替元銀行口座データＤ５−２を含む暗号通貨発行希望データＤ５を入力する。
発行希望金額データＤ５−１は、ユーザＵが暗号通貨の発行を受ける希望金額に係るデータである。また、振替元銀行口座データＤ５−２は、ユーザＵが暗号通貨の発行を受ける際に、振替元として利用する銀行口座の金融機関名、口座番号等に係るデータである。
これらのデータの入力は、例えば、ユーザ端末用アプリケーション６２１に従って、制御部６１が、必要項目の入力欄が設けられた所定の入力フォームを表示部６４に表示し、ユーザＵが当該入力フォームに入力することによって行われるようにすればよい。
【００７７】
暗号通貨発行希望データＤ５が入力されると、ユーザ端末６においては、制御部６１が、ユーザ端末用アプリケーション６２１に従って、入力されたデータを、暗号通貨を発行し事業者端末のブロックチェーン台帳５２１に書き込ませる旨の所定の指令を付して、通信部６３から通信ネットワークＮを介して、図９に示すように暗号通貨サーバ２に送信する。
【００７８】
通信部２３によって暗号通貨発行希望データＤ５を受信した暗号通貨サーバ２においては、制御部２１が、銀行口座残高振替プログラム２２１に従い、受信した振替元銀行口座データＤ５−２に係る口座から、発行希望金額データＤ５−１に係る金額分の預金につき、所定の振替処理を行う。
【００７９】
上記の振替処理が行われると、制御部２１は、暗号通貨発行プログラム２２２に従い、所定の暗号通貨の発行処理を行い、これが完了すると、発行された暗号通貨に係るデータ（ユーザ暗号通貨データＤ６）を、当該データを記憶部５２のブロックチェーン台帳５２１書き込む旨の事業者端末５への所定の指令を付して、通信部２３から通信ネットワークＮを介して、図９に示すように、全ての事業者端末５へと送信する。
【００８０】
通信部５３によってユーザ暗号通貨データＤ６を受信した事業者端末５においては、制御部５１が、ブロックチェーン書き込みプログラム５２２に従って、受信したユーザ暗号通貨データＤ６を、記憶部５２に備えられたブロックチェーン台帳５２１に記憶する。
なお、このような暗号通貨の具体的な発行処理としては、公知の暗号通貨に係る任意の処理方法を用いることができ、特に限定されるものではない。
【００８１】
これによって、ユーザＵが暗号通貨の発行を受けるたびに、発行を受けた暗号通貨に係るデータが、各事業者端末５のブロックチェーン台帳５２１に追加されていくこととなる。
【００８２】
なお、事業者Ｂについても、事業者端末から暗号通貨サーバにアクセスすることで、ユーザＵと同様に暗号通貨の発行を受けることができる。
発行された暗号通貨に係るデータ（事業者暗号通貨データＤ１８）は、当該データを記憶部５２のブロックチェーン台帳５２１書き込む旨の事業者端末５への所定の指令を付して、通信部２３から通信ネットワークＮを介して、図９に示すように、全ての事業者端末５へと送信され、通信部５３によって事業者暗号通貨データＤ１８を受信した事業者端末５において、制御部５１が、ブロックチェーン書き込みプログラム５２２に従って、受信した事業者暗号通貨データＤ１８を、記憶部５２に備えられたブロックチェーン台帳５２１に記憶することとなる。
【００８３】
［５  ステップＳ５：チケットの購入］
チケット提供・情報管理システム１００のユーザであるユーザＵは、娯楽目的の旅行やビジネス目的の出張等の何らかの行動予定が近づくと、チケットサーバ1にアクセスの上、当該行動において使用するチケットを購入する。具体的には、以下の通りである。
【００８４】
［（１）  ステップＳ５−１：サービス選択］
ユーザＵは、まず、ユーザ端末６から、通信ネットワークＮを介してチケットサーバ１にアクセスの上、提供サービスデータベース１２１に記憶された多数の提供サービスデータＤ３を閲覧の上、その中から、当該行動において利用したい複数のサービスに係る提供サービスデータＤ３を選択する。
当該選択は、例えば、チケットサーバ１より、通信ネットワークＮを介して、利用可能な提供サービスデータＤ３に係るサービスの一覧が記載された所定の選択画面に係るデータをユーザ端末６へと送信させ、これを受信したユーザ端末６において、制御部６１が、当該画面を表示部６４に表示させ、当該画面を確認したユーザＵが、操作部６５を用いて、利用を希望する提供サービスデータＤ３に係るサービスを選択することにより行えばよい。
【００８５】
ユーザＵによる選択が完了すると、制御部６１は、ユーザ端末用アプリケーション６２１に従い、通信部６３から、選択された提供サービスデータＤ３に係るデータ（利用希望サービスデータＤ７）を、単一化チケットを発行すると共に、当該単一化チケットの内容を事業者端末５のブロックチェーン台帳５２１に書き込ませる旨の所定の指令を付して、通信ネットワークＮを介して、図９に示すようにチケットサーバ１へと送信する。
【００８６】
［（２）  ステップＳ５−２：暗号通貨残高確認］
通信部１３によって利用希望サービスデータＤ７を受信したチケットサーバ１においては、制御部１１が、チケット発行プログラム１２５に従って、通信部１３から通信ネットワークＮを介して、当該ユーザＵの暗号通貨残高を確認する旨の所定の指示に係るデータ（暗号通貨残高確認指示データＤ８）を、図９に示すように暗号通貨サーバ２へと送信する。
【００８７】
通信部２３によって、暗号通貨残高確認指示データＤ８を受信した暗号通貨サーバ２においては、制御部２１が、暗号通貨残高確認プログラム２２３に従って、通信部２３から通信ネットワークＮを介して、暗号通貨残高確認指示データＤ８を、図９に示すように所定の事業者端末５へと送信する。
【００８８】
通信部５３によって暗号通貨残高確認指示データＤ８を受信した事業者端末５においては、制御部５１が、ブロックチェーンデータ出力プログラム５２３に従い、当該ユーザＵに係るユーザ暗号通貨データＤ６をブロックチェーン台帳５２１から抽出の上、通信部５３から通信ネットワークＮを介して、図９に示すように暗号通貨サーバ２へと送信する。
通信部２３によって、ユーザ暗号通貨データＤ６を受信した暗号通貨サーバ２においては、制御部２１が、暗号通貨残高確認プログラム２２３に従って、通信部２３から通信ネットワークＮを介して、受信したユーザ暗号通貨データＤ６を、図９に示すようにチケットサーバ１へと送信する。
【００８９】
通信部１３によってユーザ暗号通貨データＤ６を受信したチケットサーバ１においては、制御部１１が、チケット発行プログラム１２５に従い、提供サービスデータベース１２１に記憶された提供サービスデータＤ３に含まれる価格データＤ３−３を参照の上、利用希望サービスデータＤ７に含まれるユーザＵが利用を希望するものとして選択したサービスに要する費用の総額と、受信したユーザ暗号通貨データＤ６と、を対照する。
【００９０】
対照の結果、受信したユーザ暗号通貨データＤ６の額が、利用希望サービスデータＤ７に含まれるユーザＵが利用を希望するものとして選択したサービスに要する費用の総額以上であった場合、ステップＳ５−３へと進む。
【００９１】
これに対し、対照の結果、受信したユーザ暗号通貨データＤ６の額が、利用希望サービスデータＤ７に含まれるユーザＵが利用を希望するものとして選択したサービスに要する費用の総額未満であった場合、ユーザが希望するチケットの購入は不可能であることから、制御部１１は、チケット発行プログラム１２５に従い、通信部１３から通信ネットワークＮを介して、その旨の通知を当該ユーザＵのユーザ端末６へと送信し、処理を終了することとなる。
この場合、ユーザＵはステップＳ４の暗号通貨の発行から再度行い、十分な金額の暗号通貨の発行を受けた上で、再度チケットの購入を行う必要がある。
【００９２】
［（３）  ステップＳ５−３：単一化チケットの発行］
受信したユーザ暗号通貨データＤ６の額が、利用希望サービスデータＤ７に含まれるユーザＵが利用を希望するものとして選択したサービスに要する費用の総額以上であった場合、制御部１１は、チケット発行プログラム１２５に従い、利用希望サービスデータＤ７に含まれるユーザＵが購入を希望するものとして選択したサービスの全てで使用するチケットを単一化した単一化チケットのデータである単一化チケットデータＤ９を作成する。
【００９３】
単一化チケットデータＤ９は、例えば、所定の内容を一次元又は二次元のコードとした当該コードの画像データである。具体的なコードの種類としては、例えば、ＱＲコード（登録商標）を用いることができる。
コード化される具体的内容（コード内容データＤ１０）としては、提供サービスデータＤ３に係るサービスのうち、利用希望サービスデータＤ７に含まれるサービスが提供される場所の全てにおいて、これをチケット読み取り装置４のチケット読み取り部４４に読み取らせることで認証を受けることができるもの、すなわち、ユーザＵが当該サービスにつき支払い済みであり、これを利用できることを示すことができるものであれば限定されないが、例えば、単一化チケットデータＤ９毎に振られたチケット番号に係るデータであるチケット番号データＤ１０−１と、ユーザデータＤ４に含まれるユーザＩＤデータＤ４−２と一致するユーザＵを識別できる情報である所有ユーザ識別データＤ１０−２と、利用希望サービスデータＤ７に含まれる各サービスにつき、これを利用できる旨を示す所定の認証情報である認証データＤ１０−３と、を含む。
【００９４】
ユーザＵが利用を希望するサービスに係る利用希望サービスデータＤ７には、上記のように、例えば、交通機関、宿泊施設、飲食施設等、提供サービスデータＤ３のサービス種別データＤ３−１に係るサービスの種類の異なる複数のサービスに係るデータが含まれ得ることとなるが、制御部１１は、このように複数種類のサービスで用いるチケットにつき、単一のチケットとしてまとめることとなる。
【００９５】
なお、単一化チケットデータＤ９に係る単一化チケットにおいて使用する具体的なコードの種類及びデータのコード化の具体的手法については、必要なデータをコード化できるものであれば特に限定されない。
また、単一化チケットデータＤ９としては、上記のように一次元又は二次元のコードの画像データが好ましいものの、これに限られず、例えば、ユーザ端末６に所定のＩＣチップを搭載した上で、当該ＩＣチップに記憶させることができると共に所定の接触型又は非接触型の読み取り機で読み出すことができるデータとして、単一化チケットデータＤ９を構成してもよい。
この場合、チケット読み取り装置４のチケット読み取り部４４としても、これに対応した読み取り機を用い、ユーザＵは、ユーザ端末６をこれにかざす所謂タッチ操作により、当該ＩＣチップの記憶内容をチケット読み取り部４４に読み取らせることとなる。
【００９６】
また、単一化チケットデータＤ９が、各チケット読み取り装置４での認証に要するデータの全てを含むことは必須ではなく、例えば、チケット番号データＤ１０−１及び所有ユーザ識別データＤ１０−２のみを含むようにし、認証データＤ１０−３を所定のサーバに格納した上で、各チケット読み取り装置４が、当該サーバにアクセスしてチケット番号データＤ１０−１及び所有ユーザ識別データＤ１０−２に基づいて、対応する認証データＤ１０−３を取得して認証処理を行うようにしてもよい。
【００９７】
単一化チケットデータＤ９が作成されると、続いて、制御部１１は、チケット発行プログラム１２５に従って、単一化チケットデータＤ９を、当該データを記憶部６２の単一化チケットデータ記憶部６２２に記憶させる旨のユーザ端末６への所定の指令を付して、通信部１３から通信ネットワークＮを介して、図９に示すように、ユーザ端末６へと送信する。
【００９８】
通信部６３によって単一化チケットデータＤ９を受信したユーザ端末６においては、制御部６１が、ユーザ端末用アプリケーション６２１に従って、単一化チケットデータＤ９を、記憶部６２の単一化チケットデータ記憶部６２２に記憶する。
【００９９】
［（４）  ステップＳ５−４：ブロックチェーン台帳の更新］
単一化チケットデータＤ９をユーザ端末６へと送信すると、続いて、チケットサーバ１の制御部１１は、チケット発行プログラム１２５に従って、単一化チケットデータＤ９に係る単一化チケットの内容に係るデータであるチケット内容データＤ１１を、当該データを記憶部５２のブロックチェーン台帳５２１に書き込む旨の事業者端末５への所定の指令を付して、通信部１３から通信ネットワークＮを介して、図９に示すように、全ての事業者端末５へと送信する。
チケット内容データＤ１１は、当該データに係る単一化チケットの発行を受けた所有者たるユーザＵを特定できるデータ（例えば、ユーザＩＤデータＤ４−２）と、当該データに係る単一化チケットによって利用可能な提供サービスデータＤ３に係るサービス（ユーザＵが利用希望サービスデータＤ７として選択したサービス）に関するデータを含む、単一化チケットデータＤ９に係るチケットの具体的内容に係るデータである。
【０１００】
通信部５３によってチケット内容データＤ１１を受信した事業者端末５においては、制御部５１が、ブロックチェーン書き込みプログラム５２２に従って、受信したチケット内容データＤ１１を、記憶部５２に備えられたブロックチェーン台帳５２１に、所定の代替不可能なトークンとして記憶する。
【０１０１】
これによって、ユーザＵが単一化チケットデータＤ９を取得するたびに、当該単一化チケットデータＤ９に対応したチケット内容データＤ１１が、各事業者端末５のブロックチェーン台帳５２１に追加されていくこととなる。
また、ブロックチェーン台帳５２１に含まれるユーザ暗号通貨データＤ６についても、チケット内容データＤ１１の記憶と同時に又はその他の所定の時点において、チケットサーバ１の指令に従い、購入した単一化チケットデータＤ９に係る単一化チケットの代金（チケット内容データＤ１１に含まれるサービスの価格データＤ３−３に係る金額の合計額）に応じて引かれる形で、全ての事業者端末５において更新されることとなる。
【０１０２】
なお、ユーザＵはチケットの購入後、自らが所有する単一化チケットの内容を確認したい場合には、ユーザ端末６から通信ネットワークＮを介して、所有するチケットの内容を確認したい旨の所定の指令をチケットサーバ１へと送信する。
当該指令を受信したチケットサーバ１においては、制御部１１が、所有チケット確認プログラム１２６に従い、所定の事業者端末５から、当該ユーザＵに係る全てのチケット内容データＤ１１を取得の上、これをユーザ端末６へと送信し、これを受信したユーザ端末６においては、制御部６１が、受信したデータに基づき、当該ユーザＵ所有する単一化チケットの一覧及びその内容を、表示部６４に表示することとなる。
【０１０３】
［６  ステップＳ６：チケットの譲渡］
ユーザＵは購入した単一化チケットデータＤ９に係るチケットの他のユーザＵへの譲渡を希望する場合、ユーザ端末用アプリケーション６２１に従い、ユーザ端末６の操作部６５を用いて、譲渡を希望する単一化チケットの情報（例えば、チケット番号データＤ１０−１等を含む譲渡を希望する単一化チケットデータＤ９に係る単一化チケットを特定できる情報）である譲渡希望チケットデータＤ１９−１と、譲渡先となる他のユーザＵの情報（例えば、当該ユーザＵのユーザデータＤ４に含まれる個人情報データＤ４−１等を含むユーザＵを特定できる情報）である譲渡先データＤ１９−２と、を含むチケット譲渡希望データＤ１９を入力する。
チケット譲渡希望データＤ１９の入力は、例えば、ユーザ端末用アプリケーション６２１に従って、制御部６１が、必要項目の入力欄が設けられた所定の入力フォームを表示部６４に表示するようにし、ユーザＵが当該入力フォームに入力することによって行われるようにすればよい。
【０１０４】
チケット譲渡希望データＤ１９が入力されると、ユーザ端末６の制御部６１は、ユーザ端末用アプリケーション６２１に従って、入力されたデータを、譲渡希望チケットデータＤ１９−１に係る単一化チケットの所有者の変更の処理を行い、事業者端末５に備えられたブロックチェーン台帳に書き込ませる旨のチケットサーバ１への所定の指令を付して、通信部６３から通信ネットワークＮを介して、チケットサーバ１へと送信する。
チケット譲渡希望データＤ１９を受信したチケットサーバ１においては、制御部１１が、チケット譲渡プログラム１２７に従い、当該データを、譲渡希望チケットデータＤ１９−１に係る単一化チケットの所有者に係るデータを、譲渡先データＤ１９−２に従い変更するようにしてブロックチェーン台帳５２１の更新を行う旨の事業者端末５への所定の指令を付して、通信部１３から通信ネットワークＮを介して、図９に示すように、全ての事業者端末５へと送信する。
【０１０５】
通信部５３によってチケット譲渡希望データＤ１９を受信した事業者端末５においては、制御部５１が、ブロックチェーン書き込みプログラム５２２に従い、受信したデータに基づき、譲渡希望チケットデータＤ１９−１に係る単一化チケットのチケット内容データＤ１１につき、その所有者に係るデータを譲渡先データＤ１９−２に従って変更する形で、単一化チケットを譲渡する取引につき、ブロックチェーン台帳５２１に記憶する。
【０１０６】
なお、ユーザＵが単一化チケットの利用前にその譲渡を希望することがなかった場合、ステップＳ６の処理を経ることなく、ステップＳ７において、当該ユーザＵにより、単一化チケットが利用されることとなる。これに対し、ユーザＵが単一化チケットの利用前にその譲渡を希望し、ステップＳ６に係る処理がなされた場合には、ステップＳ７において、新たに当該単一化チケットを取得したユーザＵにより、単一化チケットが利用されることとなる。
【０１０７】
［７  ステップＳ７：チケットの利用］
ユーザＵは、娯楽目的の旅行やビジネス目的の出張等の行動予定日において、単一化チケットデータＤ９に係る単一化チケットを利用して行動することとなる。具体的には、以下の通りである。
【０１０８】
上記のように、本システムにおいては、事業者Ｂにより提供サービスデータＤ３に係るサービスが提供される全ての場所に、チケット読み取り装置４が設置されている。
そこで、ユーザＵは、実際の行動時においては、提供サービスデータＤ３に係るサービスの提供を受ける際に、ステップＳ５において受信した単一化チケットデータＤ９に係る一次元又は二次元のコード（単一化チケット）を、ユーザ端末６の表示部６４に表示させ、これをチケット読み取り装置４のチケット読み取り部４４に読み取らせながら行動する。
【０１０９】
具体的には、まず、ユーザＵは、ユーザ端末６の操作部６５を用いて所定の操作を行い、これに応じて、制御部６１が、ユーザ端末用アプリケーション６２１に従い、単一化チケットデータ記憶部６２２に記憶された単一化チケットデータＤ９に基づき、当該データに係る単一化チケットを、表示部６４に表示させる。
【０１１０】
単一化チケットが表示部６４に表示されると、ユーザＵは、行動予定に従って行動する際に、事業者Ｂが提供する提供サービスデータＤ３に係る各種サービスを受ける際に、単一化チケットを、逐一、当該サービスの提供場所に設置されたチケット読み取り装置４のチケット読み取り部４４にかざし、読み取らせつつ行動する。
【０１１１】
例えば、提供を受けるサービスが移動手段である場合においては、電車であれば改札に設置されたチケット読み取り装置４のチケット読み取り部４４に、乗車駅及び降車駅で単一化チケットをかざし、バスであれば車内に設置されたチケット読み取り装置４のチケット読み取り部４４に、乗車時及び降車時に単一化チケットをかざすようにする。
また、例えば、飲食施設においては、レジに設置されたチケット読み取り装置４のチケット読み取り部４４に、入店時及び／又は退店時に単一化チケットをかざすようにする。
また、例えば、ホテル等の宿泊施設においては、フロントに設置されたチケット読み取り装置４のチケット読み取り部４４に、チェックイン時及び／又はチェックアウト時に、単一化チケットをかざすようにする。
【０１１２】
ユーザＵによって、単一化チケットがチケット読み取り装置４のチケット読み取り部４４にかざされると、チケット読み取り装置４においては、チケット読み取りプログラム４２１に従い、チケット読み取り部４４が、自動的に単一化チケットのコードの内容（コード内容データＤ１０）を読み取る。
【０１１３】
チケット読み取り部４４により単一化チケットの内容が読み取られると、チケット読み取り装置４においては、制御部４１が、チケット認証プログラム４２２に従い、コード内容データＤ１０に含まれる認証データＤ１０−３を用いて、当該単一化チケットによるサービス利用の可否に係る判定を行う。
【０１１４】
上記判定の結果、読み取ったコード内容データＤ１０に含まれる認証データＤ１０−３に、当該サービスに係るデータが含まれており、ユーザＵが当該サービスを利用可能であった場合、チケット読み取り装置４においては、読み取ったコード内容データＤ１０を、当該チケット読み取り装置４に係る読み取り装置識別データＤ１２と共に、行動履歴サーバ３へと送信する。
なお、読み取ったコード内容データＤ１０に含まれる認証データＤ１０−３に、当該サービスに係るデータが含まれておらず、ユーザＵが当該サービスを利用不可であった場合、チケット読み取り装置４においては、例えば電車であれば、駅の改札と連動の上、これを閉じる等、当該ユーザＵによる利用を阻止する所定の措置をとることとなる。
【０１１５】
コード内容データＤ１０と、読み取り装置識別データＤ１２と、を受信した行動履歴サーバ３においては、制御部３１が、行動履歴送信プログラム３２１に従って、読み取り装置データベース３２２に記憶された読み取り装置データＤ１３並びに受信したコード内容データＤ１０及び読み取り装置識別データＤ１２を基に、当該ユーザＵに係るユーザＩＤデータＤ４−２等のユーザＵを識別できる情報と、ユーザＵが提供を受けたサービスの内容に係る情報と、を含むユーザＵの行動履歴に係るデータである行動履歴データＤ１４を作成する。
【０１１６】
すなわち、上記のように、コード内容データＤ１０には、所有ユーザ識別データＤ１０−２が含まれることから、制御部３１は、受信したコード内容データＤ１０に基づき、使用された単一化チケットを所有するユーザＵを特定することができる。
また、読み取り装置データベース３２２に記憶された読み取り装置データＤ１３は、上記のように、各チケット読み取り装置４の設置事業者、設置場所、当該設置場所で提供されるサービスの種類等の情報が、各チケット読み取り装置４に係る読み取り装置識別データＤ１２と紐付けて記憶されたデータであることから、制御部３１は、受信した読み取り装置識別データＤ１２に基づき、当該ユーザＵが提供を受けたサービスの内容（サービスの提供を受けた場所、提供事業者、提供を受けたサービスの種類等）を特定することができる。
【０１１７】
続いて、制御部３１は、行動履歴送信プログラム３２１に従って、行動履歴データＤ１４を、当該データを記憶部５２のブロックチェーン台帳５２１に書き込む旨の事業者端末５への所定の指令を付して、通信部３３から通信ネットワークＮを介して、図９に示すように、全ての事業者端末５へと送信する。
通信部５３によって行動履歴データＤ１４を受信した事業者端末５においては、制御部５１が、ブロックチェーン書き込みプログラム５２２に従って、受信した行動履歴データＤ１４を、ブロックチェーン台帳５２１に記憶する。
【０１１８】
これによって、ユーザＵが行動中に単一化チケットデータＤ９に係る単一化チケットを使用するたびに、当該ユーザＵの行動履歴に係る行動履歴データＤ１４が、全ての事業者端末５のブロックチェーン台帳５２１に追加されていくこととなる。
【０１１９】
［８  ステップＳ８；：売上額の分配］
チケットサーバ１の制御部１１は、例えば週単位、月単位等の所定の期間毎に、事業者Ｂ間でのチケット提供・情報管理システム１００による売上額の分配を行う。具体的には、以下の通りである。
【０１２０】
上記のように、各事業者端末５の記憶部５２のブロックチェーン台帳５２１には、ステップＳ５において説明したように全てのチケット内容データＤ１１が含まれ、また、ステップＳ７において説明したように全ての行動履歴データＤ１４が含まれている。
【０１２１】
したがって、チケットサーバ１においては、制御部１１が、分配プログラム１２８に従い、所定のタイミングで、通信部１３から通信ネットワークＮを介して、上記所定の期間においてブロックチェーン台帳５２１に追加された全てのチケット内容データＤ１１及び行動履歴データＤ１４をチケットサーバ１へと送信させる旨の所定の指示に係るデータ（分配用データ送信指示データＤ１５）を、図９に示すように所定の事業者端末５へと送信する。
【０１２２】
通信部５３によって分配用データ送信指示データＤ１５を受信した事業者端末５においては、制御部５１が、ブロックチェーンデータ出力プログラム５２３に従い、記憶部５２に記憶されたブロックチェーン台帳５２１から、上記所定の期間においてブロックチェーン台帳５２１に追加された全てのチケット内容データＤ１１及び行動履歴データＤ１４（これらをまとめて分配用データＤ１６という。）を抽出の上、通信部５３から通信ネットワークＮを介して、チケットサーバ１へと送信する。
【０１２３】
通信部１３によって分配用データＤ１６を受信したチケットサーバ１においては、制御部１１が、分配プログラム１２８に従って、分配用データＤ１６に基づき、上記所定の期間の単一化チケットの総売上額からの各事業者Ｂへの分配額を決定し、分配額に係るデータ（分配額データＤ１７）を作成する。
【０１２４】
分配額データＤ１７の内容としては、まず、チケット内容データＤ１１に含まれる各ユーザＵが購入した提供サービスデータＤ３に係るサービスの代金につき、提供サービスデータＤ３に含まれる価格データＤ３−３に基づき各事業者Ｂに分配する。
【０１２５】
また、例えば、チケット内容データＤ１１に含まれる各ユーザＵが購入した提供サービスデータＤ３に係るサービスに、複数の事業者Ｂが運営する交通機関で共通に利用できる乗車券、複数の事業者Ｂが運営する飲食店で共通に利用できる食事券等の複数の事業者Ｂが提供するサービスを一括したものが含まれている場合においては、当該サービスの代金につき、実際のユーザＵの行動に係る行動履歴データＤ１４を参照の上、ユーザＵの行動履歴において事業者Ｂ各社において実際に生じたであろう代金に応じて按分する等の方法で分配する。なお、分配方法はこれに限られず、例えば、行動履歴データＤ１４を参照することなく、事業者Ｂ間で事前に定めた分配比率をチケットサーバ１に登録しておき、当該分配比率に応じて分配する等の方法を用いてもよい。
【０１２６】
分配額データＤ１７を作成すると、制御部１１は、分配額データＤ１７に従ってブロックチェーン台帳５２１を更新する旨の所定の指令を付して、分配額データＤ１７を、通信部１３から通信ネットワークを介して、図９に示すように全ての事業者端末５へと送信する。
【０１２７】
通信部５３によって分配額データＤ１７を受信した事業者端末５においては、制御部５１が、ブロックチェーン書き込みプログラム５２２に従って、ブロックチェーン台帳５２１に含まれる事業者暗号通貨データＤ１８につき、分配額データＤ１７に係る分配額を加算する形で更新する。
【０１２８】
［第３  効果の説明］
以下、本実施形態の効果につき、ユーザ側、事業者側に分けて説明する。
【０１２９】
［１  ユーザ側の効果］
本実施形態に係るチケット提供・情報管理システム１００によれば、ユーザＵは、娯楽目的の旅行やビジネス目的の出張等の所定の行動に含まれる複数の行程において、ユーザ端末６に送信された単一化チケットデータＤ９に係る一つの単一化チケットを用いて行動できることから、個々の行程ごとに個別にチケットを所持して行動する必要がなくなり、ユーザＵのチケット管理の負担を低減することができる。
また、チケットサーバ１にアクセスの上、提供サービスデータベース１２１から利用したいサービスを選択するのみで単一化チケットを取得できることから、チケットの取得も容易となる。
【０１３０】
また、ユーザＵは、単一化チケットデータＤ９に係る単一化チケットの作成時に、チケットサーバ１の提供サービスデータベース１２１に提供サービスデータＤ３として記憶された、多数の事業者Ｂが提供する、交通機関、飲食施設、宿泊施設等、多様な種類のサービスから、提供を受けるサービスを選択できる。
これによって、多様な種類のサービスで用いるチケットを一括化できることから、多様な行動計画において単一化チケットを利用することが可能となる。
【０１３１】
また、単一化チケットデータＤ９に係る単一化チケットは、チケット読み取り装置４のチケット読み取り部４４に読み取らせることができる一次元又は二次元のコード等により構成されることから、行動中においてチケットを提示する作業も自動的に行うことができ、迅速に行うことが可能となる。
【０１３２】
また、単一化チケットデータＤ９に係る代金の決済は、暗号通貨によってなされることから、ユーザＵが行動中において別途支払いを行う必要性もなく、スムーズな行動が可能となる。
また、全ての事業者端末５の記憶部５２のブロックチェーン台帳５２１に同内容が記憶される暗号通貨により決済がなされることから、信頼性の高い決済が可能となる。
【０１３３】
また、ブロックチェーン台帳５２１に各ユーザが所持する単一化チケットのデータであるチケット内容データＤ１１が、所定の代替不可能なトークンとして記憶されていることで、ユーザＵ間の単一化チケットの譲渡による所有者の変更も容易となる。
【０１３４】
［２  事業者側の効果］
本実施形態に係るチケット提供・情報管理システム１００によれば、ユーザＵの行動履歴に係る行動履歴データＤ１４を始めとした各種データは、ハッシュ化された上で、ブロックチェーン台帳５２１として、全ての事業者端末５において同一の内容のデータが保持されていることとなる。
したがって、各事業者Ｂ、システムを提供する管理者又はその他の第三者による改ざんを防止でき、信頼性の高い情報の管理を行うことが可能となる。
【０１３５】
これによって、事業者Ｂは、情報の改ざんのおそれ等について憂慮することなくシステムに参加できることから、例えば逐一情報の正確性や不正の有無につき調査をおこなう必要性がなくなる。したがって、事業者Ｂにシステムへの参加によって生じる負担を低減でき、事業者Ｂによるシステムへの参加が容易となる。
【０１３６】
また、事業者Ｂは、自らの提供する交通、飲食、宿泊、保険等の各種サービスを、チケットサーバ１の提供サービスデータベース１２１に、提供サービスデータＤ３として登録するのみで、ユーザＵに対して提供可能となることから、幅広いユーザＵに対して、容易に多様なサービスを販売可能となる。
【０１３７】
また、新たな事業者Ｂが参入する際には、当該事業者Ｂは、事業者データＤ１を登録の上、事業者端末５において一括してブロックチェーン台帳５２１に係るデータ等を受領するのみで参入でき、新規の事業者Ｂの参入の際の処理も容易となる。
また、それ以前の全ての取引の履歴が、ブロックチェーン台帳５２１に残されていることから、参入以前に何らかの不正やデータの改ざんがなかったことも担保されており、新規参入の事業者Ｂにとっても、参入時のリスクを低減できる。
【０１３８】
また、所定期間における単一化チケットの売上額につき、チケットサーバ１において分配額データＤ１７が作成され、これを元にブロックチェーン台帳５２１に含まれる事業者暗号通貨データＤ１８を更新することで、一括して各事業者にチケット提供・情報管理システム１００による売上額が分配されることから、簡易に、不正の可能性の低い公正な分配を実現できる。
さらに、このような売上額の分配の方法によれば、銀行口座等を用いる場合のように手数料を掛けずに分配を実現することが可能となる。この点は、分配額が少額であり、手数料を掛けての分配が現実的でない場合において、特に大きなメリットとなる。
【符号の説明】
【０１３９】
１００  チケット提供・情報管理システム
１  チケットサーバ（サーバ装置）
１１  制御部（チケット内容情報書き込み指示手段、分配額決定手段）
１２  記憶部
１２５  チケット発行プログラム
１３  通信部（送信手段、情報取得手段）
２  暗号通貨サーバ
２１  制御部
２２  記憶部
２３  通信部
３  行動履歴サーバ
３１  制御部（行動履歴情報書き込み指示手段）
３２  記憶部
３２１  行動履歴送信プログラム
３３  通信部（送信手段）
４  チケット読み取り装置
４１  制御部
４２  記憶部
４３  通信部
４４  チケット読み取り部
５  事業者端末（端末装置）
５１  制御部（チケット内容情報書き込み手段、行動履歴情報書き込み手段、抽出手段、抽出情報送信制御手段、提供サービス情報送信制御手段、暗号通貨情報書き込み手段、暗号通貨情報更新手段）
５２  記憶部
５２１  ブロックチェーン台帳
５２２  ブロックチェーン書き込みプログラム（事業者支援プログラム）
５２３  ブロックチェーンデータ出力プログラム（事業者支援プログラム）
５２４  提供サービス登録プログラム（事業者支援プログラム）
５３  通信部（チケット内容情報取得手段、行動履歴情報取得手段、送信手段、分配額情報取得手段、暗号通貨情報取得手段）
５４  表示部
５５  操作部
６  ユーザ端末
６１  制御部
６２  記憶部
６２１  ユーザ端末用アプリケーション
６３  通信部
６４  表示部
６５  操作部
Ｕ  ユーザ
Ｂ  事業者
Ｄ３  提供サービスデータ（提供サービス情報）
Ｄ６  ユーザ暗号通貨データ
Ｄ７  利用希望サービスデータ
Ｄ９  単一化チケットデータ
Ｄ１１  チケット内容データ（チケット内容情報）
Ｄ１４  行動履歴データ（行動履歴情報）
Ｄ１６  分配用データ（分配用情報）
Ｄ１７  分配額データ（分配額情報）
Ｄ１８  事業者暗号通貨データ（暗号通貨情報）
【要約】
【課題】ユーザの行動を支援するシステムにおいて、ユーザに対してサービスを提供する事業者のシステムへの参加を容易とする。
【解決手段】事業者Ｂが使用する事業者端末５を、ユーザＵの行動履歴に係る情報である行動履歴データＤ１４を取得する行動履歴情報取得手段（通信部５３）、行動履歴データＤ１４を、記憶部５２に備えられたブロックチェーン台帳５２１に書き込む行動履歴情報書き込み手段（制御部５１）、として機能させる。
【選択図】図９【図１】
0006898480.tif 000002
【図２】
0006898480.tif 000003
【図３】
0006898480.tif 000004
【図４】
0006898480.tif 000005
【図５】
0006898480.tif 000006
【図６】
0006898480.tif 000007
【図７】
0006898480.tif 000008
【図８】
0006898480.tif 000009
【図９】
0006898480.tif 000010